(57)【要約】【課題】  チューブ状のタッチスイッチにおいて、折り曲げや圧力の方向による誤作動がなく、且つ長手方向の任意の箇所での圧力に対しても確実に作動し、信頼性の向上したものとする。【解決手段】  ワイヤー３を長手方向に配した円筒状の導電性ゴム１の内部に、ワイヤー４を長手方向に埋設した円柱状の導電性ゴム２を設け、これらの外側の円筒状の導電性ゴム１と内側の円柱状の導電性ゴム２との間に、複数の棒状の絶縁性ゴム６を長手方向に介在させる。そして、外側の導電性ゴム１の外周囲を絶縁性ゴム５で被覆する。また、上記外側の導電性ゴム１のワイヤー３は、外周囲の絶縁性ゴム５との間に螺旋状に巻回し、内側の導電性ゴム２のワイヤー４は、中心部に直線状に埋設する。棒状の絶縁性ゴム６は、円周方向に均等に３本設ける。【選択図】        図１
2005293913.tif 000002
【特許請求の範囲】
【請求項１】
円筒状で長手方向に金属体を配した導電性ゴムの内部に、金属体を長手方向に埋設した円柱状の導電性ゴムを設け、前記外側の円筒状の導電性ゴムと内側の円柱状の導電性ゴムとの間に、複数の棒状の絶縁体を長手方向に介在させたことを特徴とするタッチスイッチ。
【請求項２】
前記外側の導電性ゴムの外周囲を絶縁体で被覆したことを特徴とする請求項１に記載のタッチスイッチ。
【請求項３】
前記外側の導電性ゴムとその外周囲の絶縁体との間に線状の金属体を螺旋状に巻回して設けるとともに、内側の導電性ゴムの中心部に線状の金属体を埋設したことを特徴とする請求項１または２に記載のタッチスイッチ。
【請求項４】
前記棒状の絶縁体は円周方向に均等に奇数本設けたことを特徴とする請求項１ないし４何れかに記載のタッチスイッチ。
【発明の詳細な説明】
【技術分野】
【０００１】
本発明は、チューブ状の感圧スイッチとして使用されるタッチスイッチに関するものである。
【背景技術】
【０００２】
車両の窓の開閉やドアの開閉などの確認のために、チューブ状（ケーブル状）の感圧スイッチが従来より用いられている。この感圧スイッチはタッチスイッチとして構成されるもので、チューブの内部に二つの導電性ゴムが長手方向に配されており、通常はスイッチがオフ（ＯＦＦ）の状態であるが、外部の圧力が加わると両側の導電性ゴムが接触してスイッチがオン（ＯＮ）となるものである。
【０００３】
図２はこのようなタッチスイッチの一例を示す断面図である。同図の（ａ）に示すものは、一対の帯状の導電性ゴム１１、１２を筒状の中空の絶縁性ゴム１３の内壁面に相対向するように設けたもので、全体として平たいケーブルとして形成されている。そして、長手方向の任意の箇所で外部から圧力が加わるとその部分の上下（両側）の導電性ゴム１１、１２が接触し、スイッチがオンとなる。
【０００４】
図２の（ｂ）に示すものも同様の構造であるが、一方の導電性ゴム２１は半円筒状の中空の絶縁性ゴム２３の内壁面に設けられ、もう一方の導電性ゴム２２は中央部に設けられている。また、絶縁性ゴム２３にはサッシ等への取付部が形成されている。そして、長手方向の任意の箇所で外部から圧力が加わるとその部分の上下（両側）の導電性ゴム２１、２２が接触し、スイッチがオンとなる。
【０００５】
また、上記のようなタッチスイッチにおいて、広い圧力入力方向に対して確実にスイッチが作動するように、一対の導電性ゴムのそれぞれに線状の金属導体を埋設することも提案されている（例えば、特許文献１参照。）。
【特許文献１】特開平９−１８０５７８号公報
【発明の開示】
【発明が解決しようとする課題】
【０００６】
しかしながら、上記のようなタッチスイッチにあっては、折り曲げ箇所においてスイッチが誤ってオンになったり、圧力が加わる方向によってはスイッチが作動しなかったりする虞があり、信頼性に問題があった。
【０００７】
本発明は、上記のような問題点に鑑みてなされたもので、折り曲げや圧力の方向による誤作動がなく、且つ長手方向の任意の箇所での圧力に対しても確実に作動し、信頼性の向上したタッチスイッチを提供することを目的としている。
【課題を解決するための手段】
【０００８】
上記の目的を達成するために、本発明に係るタッチスイッチは、次のように構成した。
【０００９】
（１）円筒状で長手方向に金属体を配した導電性ゴムの内部に、金属体を長手方向に埋設した円柱状の導電性ゴムを設け、前記外側の円筒状の導電性ゴムと内側の円柱状の導電性ゴムとの間に、複数の棒状の絶縁体を長手方向に介在させた。
【００１０】
（２）前記外側の導電性ゴムの外周囲を絶縁体で被覆した。
【００１１】
（３）前記外側の導電性ゴムとその外周囲の絶縁体との間に線状の金属体を螺旋状に巻回して設けるとともに、内側の導電性ゴムの中心部に線状の金属体を埋設した。
【００１２】
（４）前記棒状の絶縁体は円周方向に均等に奇数本設けた。
【発明の効果】
【００１３】
本発明によれば、折り曲げや圧力の方向による誤作動がなく、且つ長手方向の任意の箇所での圧力に対しても確実に作動し、信頼性の向上したタッチスイッチを実現することができる。
【発明を実施するための最良の形態】
【００１４】
以下、本発明の実施例を図面について説明する。
【実施例】
【００１５】
図１は本発明の実施例によるタッチスイッチの構成を示す断面図である。このタッチスイッチは、断面円形で、任意の長さのチューブ状（ケーブル状）の感圧スイッチとなっている。
【００１６】
同図において、１は一方の電極となる外側の円筒状の導電性ゴム、２はもう一方の電極となる内側の円柱状の導電性ゴム、３、４はこれらの導電性ゴム１、２と一体的に接触している金属製の線状のワイヤー（金属体）、５は外側の導電性ゴム１の外周囲に被覆された絶縁性ゴム（絶縁体）、６は外側の導電性ゴム１と内側の導電性ゴム２との間に介在された複数の棒状の絶縁性ゴム（絶縁体）である。
【００１７】
上記のタッチスイッチは、ワイヤー３を長手方向に配した円筒状の導電性ゴム１の内部に、ワイヤー４を長手方向に埋設した円柱状の導電性ゴム２を設け、これらの外側の円筒状の導電性ゴム１と内側の円柱状の導電性ゴム２との間に、複数の棒状の絶縁性ゴム６を長手方向に介在した構造となっている。そして、外側の導電性ゴム１の外周囲を絶縁性ゴム５で被覆している。
【００１８】
また、上記外側の導電性ゴム１のワイヤー３は、外周囲の絶縁性ゴム５との間に螺旋状に巻回されており、内側の導電性ゴム２のワイヤー４は、中心部に直線状に埋設されている。更に、棒状の絶縁性ゴム６は、円周方向に均等に３本設けられている。
【００１９】
本実施例のタッチスイッチは、円筒状の電極（導電性ゴム１）とその内部の円柱状の電極（導電性ゴム２）との間に複数の棒状の絶縁体（絶縁性ゴム６）を設けた構成となっているので、単に折り曲げられても外側の電極と内側の電極が接触することはなく、且つ何れの方向から圧力が加えられても二つの電極は接触する。したがって、折り曲げや圧力の方向による誤作動がない。
【００２０】
また、両電極には長手方向に渡って金属ワイヤーが設けられているので、長手方向の任意の箇所での圧力に対しても確実に作動し、信頼性の向上したものとなっている。
【００２１】
なお、上記の実施例では棒状の絶縁性ゴム６を３本としており、必要且つ十分な構造となっているが、それ以上の奇数本の構成であっても良い。また、ワイヤー３、４の配し方も実施例に限定されるものではない。
【産業上の利用可能性】
【００２２】
本発明は、車両用に限らず、チューブ状の感圧スイッチとして種々の目的に利用することができる。
【図面の簡単な説明】
【００２３】
【図１】本発明の実施例の構成を示す断面図
【図２】一般的なタッチスイッチの構造を示す断面図
【符号の説明】
【００２４】
１  導電性ゴム
２  導電性ゴム
３  ワイヤー
４  ワイヤー
５  絶縁性ゴム
６  絶縁性ゴム
【図１】
2005293913.tif 000003
【図２】
2005293913.tif 000004